(57)【要約】【課題】  本発明は、ドライブ装置側にロータリシャッタを閉める手段を設けることにより、記録ディスクカートリッジの部品点数を削減することのできるドライブ装置を提供することを課題とする。【解決手段】ドライブ装置Ｄは、装着された前記記録ディスクカートリッジ１００が取り出される際に、前記シャッタノブ１２２が回動するように前記シャッタノブ１２２を係止する係止部１０を備えるように構成される。そして、係止部１０は、板バネ（弾性部材）１１と当接部１３とから構成される。【選択図】図１
2007164857.tif 000002
【特許請求の範囲】
【請求項１】
記録ディスクメディアと、前記記録ディスクメディアを収容するとともに前記記録ディスクメディアを外部に臨ませるアクセス用開口部を有するカートリッジケースと、前記カートリッジケース内で回動して前記アクセス用開口部を開閉するロータリシャッタとを有し、前記ロータリシャッタに設けられたシャッタノブが回動することで前記ロータリシャッタが回動して前記アクセス用開口部を閉じる記録ディスクカートリッジに適用されるドライブ装置であって、
装着された前記記録ディスクカートリッジが取り出される際に、前記シャッタノブが回動するように前記シャッタノブを係止する係止部を備えることを特徴とするドライブ装置。
【請求項２】
前記係止部は、前記ドライブ装置の幅方向に延びて配置され、一端側が片持ち支持されている弾性部材を備えることを特徴とする請求項１に記載のドライブ装置。
【請求項３】
前記記録ディスクカートリッジが取り出される方向と逆の方向から前記弾性部材の前記一端側と他端側との間に当接する当接部をさらに備えることを特徴とする請求項１または請求項２に記載のドライブ装置。
【発明の詳細な説明】
【技術分野】
【０００１】
本発明は、記録ディスクメディアに対する記録再生を行うドライブ装置に関する。
【背景技術】
【０００２】
一般に、記録ディスクカートリッジは、開閉シャッタにより、選択的に磁気ディスクメディアを外部に臨ませる機構を備えている。
図１２は、従来の記録ディスクカートリッジ８００およびドライブ装置Ｄをその下方から見上げた斜視図である。
記録ディスクカートリッジ８００は、カートリッジケース８１０とロータリシャッタ８２０とを主に備えて構成されている。ここで、便宜上、記録ディスクカートリッジ８００は、ドライブ装置Ｄへの挿入側を前方とし、反対側を後方とする。
【０００３】
このような記録ディスクカートリッジ８００は次のように動作する。
ロータリシャッタ８２０が閉位置にある記録ディスクカートリッジ８００がドライブ装置ＤのカートリッジスロットＤＳに挿入されると、ロータリシャッタ８２０の下面からカートリッジケース８１０のガイド溝８１３を介して突出したシャッタノブ８２５がカートリッジスロットＤＳの開口縁部Ｄ１に当接する。そして、記録ディスクカートリッジ８００がさらに挿入されていくと、シャッタノブ８２５がガイド溝８１３の最後部まで移動するのに伴い、ロータリシャッタ８２０が開方向に回動する。このとき、ロータリシャッタ８２０の動きに伴い圧縮ばね８１４が圧縮される。そして、ロータリシャッタ８２０の切欠部８２１とアクセス用開口部８１１とが一致し、アクセス用開口部８１１を開く。  
【０００４】
一方、ロータリシャッタ８２０が開位置にある記録ディスクカートリッジ８００は、ドライブ装置Ｄの外部へ引き出されるのにつれて、圧縮ばね８１４の付勢力（復元力）によりロータリシャッタ８２０が挿入方向と逆方向（閉方向）に押戻される。これに伴いシャッタノブ８２５は、カートリッジスロットＤＳに当接しながらガイド溝８１３の最前部まで移動する。そして、切欠部８２１とアクセス用開口部８１１とが周方向にずれて、アクセス用開口部８１１を閉じる。
【特許文献１】特表２００２−５０３８６５号公報（段落００１８、図６）
【発明の開示】
【発明が解決しようとする課題】
【０００５】
ところで、従来のドライブ装置Ｄでは、記録ディスクカートリッジ８００がドライブ装置Ｄから引き出された際に、ロータリシャッタ８２０を確実に閉位置に戻させるには、記録ディスクカートリッジ８００に圧縮ばね８１４などの付勢手段を備えていることが必要である。
しかしながら、このような付勢手段をカートリッジケース８１０内に設けると、記録ディスクカートリッジ８００の部品点数が多くなってしまう。
【０００６】
そこで、本発明では、前記した問題を解決し、記録ディスクカートリッジの部品点数を削減することが可能なドライブ装置を提供することを目的とする。
【課題を解決するための手段】
【０００７】
前記課題を解決するため、本発明に係るドライブ装置は、記録ディスクメディアと、前記記録ディスクメディアを収容するとともに前記記録ディスクメディアを外部に臨ませるアクセス用開口部を有するカートリッジケースと、前記カートリッジケース内で回動して前記アクセス用開口部を開閉するロータリシャッタとを有し、前記ロータリシャッタに設けられたシャッタノブが回動することで前記ロータリシャッタが回動して前記アクセス用開口部を閉じる記録ディスクカートリッジに適用されるドライブ装置であって、装着された前記記録ディスクカートリッジが取り出される際に、前記シャッタノブが回動するように前記シャッタノブを係止する係止部を備えることを特徴とする。
本発明によれば、ドライブ装置は、シャッタノブが回動するようにシャッタノブを係止する係止部を備えているので、記録ディスクカートリッジを引き出すと、シャッタノブが係止部に係止されて回動し、このシャッタノブの動きに伴い、ロータリシャッタが回動してアクセス用開口部が閉じられる。このため、記録ディスクカートリッジはバネなどの付勢手段を備える必要がなくなり、記録ディスクカートリッジの部品点数の削減を図ることができる。
また、前記したドライブ装置としては、前記係止部は、前記ドライブ装置の幅方向に延びて配置され、一端側が片持ち支持されている弾性部材を備えることが望ましい。
これによれば、ドライブ装置から記録ディスクカートリッジが引き出される際に、弾性部材の反発力によって、シャッタノブが、ロータリシャッタがアクセス用開口部を閉じる方向に押し付けられながら引き出されることとなる。このため、ロータリシャッタがアクセス用開口部を確実に閉じることができる。
また、前記したドライブ装置としては、前記記録ディスクカートリッジが取り出される方向と逆の方向から前記弾性部材の前記一端側と他端側との間に当接する当接部をさらに備えることが望ましい。
これによれば、ドライブ装置は、記録ディスクカートリッジが取り出される方向と逆の方向から弾性部材の一端側と他端側との間に当接する当接部を備えているため、ドライブ装置から記録ディスクカートリッジが引き出される際に、シャッタノブがより効果的に、ロータリシャッタがアクセス用開口部を閉じる方向に押し付けられながら引き出されることとなる。このため、ロータリシャッタがアクセス用開口部をより確実に閉じることができる。
【発明の効果】
【０００８】
本発明によれば、記録ディスクカートリッジの部品点数の削減を図ることができる。
【発明を実施するための最良の形態】
【０００９】
次に、本発明を実施するための最良の形態について、適宜図面を参照しながら説明する。参照する図面において、図１は、本実施形態に係るドライブ装置を上方から見下ろした斜視図であり、その係止部近傍を部分的に切り欠いた様子を示す図、図２は、ドライブ装置の係止部の構成説明図であり、ドライブ装置から蓋体を取り外した際の係止部の様子を上方から見た図である。なお、図１中、ドライブ装置の外観は実線で示し、内部構造は破線で示している。そして、図１には、ドライブ装置に装着する記録ディスクカートリッジをともに描いている。以下の説明において、前、後、左、右、上、および下の方向は、図１中に記載した方向を基準とする。
まず、本実施形態に係るドライブ装置についての説明に先立ち、ドライブ装置に装着されて使用される記録ディスクカートリッジについて簡単に説明する。
【００１０】
図１に示すように、記録ディスクカートリッジ１００は、カートリッジケース１１０と、このカートリッジケース１１０の内部に回動可能に配置されたロータリシャッタ１２０と、このロータリシャッタ１２０の内部に回転自在に配置された記録ディスクメディアＤＭとを主に備えて構成されている。
【００１１】
カートリッジケース１１０は、薄型の箱状体であって、ドライブ装置ＤのカートリッジスロットＤＳに挿入される側に、くさび状に切り欠かれたアクセス用開口部１１１を有している。このアクセス用開口部１１１を介して、後記するドライブ装置Ｄのヘッド５が記録ディスクメディアＤＭにアクセスすることとなる。
カートリッジケース１１０の下面には、その左側寄りに円弧状のガイド溝１１２が穿設されている。このガイド溝１１２は、後記するロータリシャッタ１２０のシャッタノブ１２２の軌道に沿うように所定の曲率で形成されている。
【００１２】
ロータリシャッタ１２０は、その外形が略円盤形状を有する中空構造体であって、カートリッジケース１１０のアクセス用開口部１１１と略同形状のくさび状の切欠部１２１を有している。このロータリシャッタ１２０は、カートリッジケース１１０に回動自在に取り付けられている。そして、ロータリシャッタ１２０の下面には、シャッタノブ１２２が突設されている。このシャッタノブ１２２は、カートリッジケース１１０のガイド溝１１２を介して、記録ディスクカートリッジ１００の下面から突き出ている。
【００１３】
このような記録ディスクカートリッジ１００では、ドライブ装置Ｄに装着される前にあっては、ロータリシャッタ１２０が閉位置に配置される。つまり、ロータリシャッタ１２０の切欠部１２１とカートリッジケース１１０のアクセス用開口部１１１とがずれて配置される。このときシャッタノブ１２２は、カートリッジケース１１０のガイド溝１１２の後側に位置する。
【００１４】
また、記録ディスクカートリッジ１００がドライブ装置Ｄに装着される際には、後記するようにシャッタノブ１２２がガイド溝１１２内を前側に向かって円弧状の軌道を描きながら移動する。そして、この移動に伴って、ロータリシャッタ１２０が回動することでカートリッジケース１１０のアクセス用開口部１１１とロータリシャッタ１２０の切欠部１２１とが重なり合う。その結果、記録ディスクメディアＤＭが外部に臨むこととなる。つまり、ロータリシャッタ１２０は、開位置に配置されて、後記するドライブ装置Ｄのヘッド５が記録ディスクメディアＤＭにアクセス可能となる。このときシャッタノブ１２２は、カートリッジケース１１０のガイド溝１１２の前側に位置する。そして、後記するドライブ装置Ｄのスピンドルモータ３の回転軸４が記録ディスクメディアＤＭのチャック部（図示省略）に接続されることで、記録ディスクメディアＤＭが回転可能となる。
【００１５】
次に、本実施形態に係るドライブ装置Ｄについて説明する。
図１に示すように、ドライブ装置Ｄは、平面視で矩形の薄型の箱状体であって、その前側に記録ディスクカートリッジ１００を受け入れるカートリッジスロットＤＳが形成されている。そして、ドライブ装置Ｄの後端には下面側に複数の端子９が設けられている。この端子９は、ドライブ装置Ｄが着脱自在に取り付けられた電子機器（図示省略）との間で電気的な接続を確立するものである。ドライブ装置Ｄは、この端子９を介して、記録ディスクメディアＤＭと、電子機器との間での情報の受け渡し、および受け取りを行うこととなる。そして、この端子９を介してドライブ装置Ｄに電力が供給されることとなる。ちなみに、電子機器としては、ＣＰＵ（Central Processing Unit）やメモリを備えたものであれば特に制限はなく、例えば、パーソナルコンピュータ、プリンタ、複写機等の事務機器、デジタルカメラ、テレビ、録音装置、録画装置、冷蔵庫、電子レンジ等の家電製品が挙げられる。
【００１６】
このようなドライブ装置Ｄは、ケーシング１と、ドライブ装置Ｄに装着された記録ディスクメディアＤＭを高速回転させるスピンドルモータ３と、記録ディスクメディアＤＭに対する情報の記録および再生を行うヘッド５と、このヘッド５を先端に取り付けるとともに支軸６周りに揺動してヘッド５を記録ディスクメディアＤＭの半径方向に移動させるスイングアームＳＡと、スイングアームＳＡを所定の揺動角で位置決めするアクチュエータ７と、ロータリシャッタ１２０のシャッタノブ１２２を係止する係止部１０とを主に備えている。
【００１７】
ケーシング１は、ドライブ装置Ｄの略外形を構成しており、その内部に後記する各部品を格納する略直方体の収容空間２を有している。このケーシング１は、本体１ａと蓋体１ｂとから構成されている。
本体１ａは、上方に開口した前記収容空間２を形成するものである。蓋体１ｂは、本体１ａの開口を覆うように組み付けられるものである。
本体１ａの前側には、ケーシング１の左右方向（幅方向）に延びるように前記カートリッジスロットＤＳが形成されている。このカートリッジスロットＤＳの幅および高さは、記録ディスクカートリッジ１００の幅および高さ（厚さ）にほぼ合わせ込まれて形成されている。記録ディスクカートリッジ１００は、このカートリッジスロットＤＳを介してケーシング１の収容空間２内に挿入されることとなる。
また、本体１ａのカートリッジスロットＤＳ側には、本体１ａの前端左寄りでその左右方向（以下、「ドライブ装置Ｄの幅方向」ともいう）に延びるように溝部１２が形成されている。この溝部１２は、記録ディスクカートリッジ１００が収容空間２内に挿入され、そして収容空間２内から引き出される際に、シャッタノブ１２２の通路となる。
この溝部１２は、図２に示すように、本体１ａの前端側に形成された第１壁１５ａ、および第２壁１５ｂと、これらの第１壁１５ａおよび第２壁１５ｂの後側に形成された第３壁１５ｃとで囲まれて形成されている。
第１壁１５ａは、ケーシング１の本体１ａの左端から右側に向かって突出する突出部１４の後側に規定されている。そして、第２壁１５ｂは、本体１ａの前端に沿って突出部１４と並ぶように中央寄りに配置された当接部１３の後側に規定されている。この当接部１３には、第２壁１５ｂで後記する板バネ１１が当接するようになっている。つまり、当接部１３は、ドライブ装置Ｄに装着された記録ディスクカートリッジ１００が引き出される方向と逆の方向から後記する板バネ１１の一端側と他端側との間に当接するようになっている。この第１壁１５ａと第２壁１５ｂとは、同一平面上に設定されている。
第３壁１５ｃは、第１壁１５ａおよび第２壁１５ｂの後側でドライブ装置Ｄの幅方向に延びるように形成されている。そして、突出部１４と当接部１３との間には、溝部１２内にシャッタノブ１２２を出入りさせるノブ出入溝１２ａが形成され、当接部１３の右側には板バネ１１を後記するように溝部１２内に延出させるバネ溝１２ｂが形成されている。
【００１８】
再び図１に示すように、スピンドルモータ３は、本体１ａの底面であって、ドライブ装置Ｄに装着された記録ディスクカートリッジ１００の記録ディスクメディアＤＭと対応する位置に配置されている。このスピンドルモータ３の回転軸４は、前記した記録ディスクメディアＤＭのチャック部（図示省略）と接続するようになっている。
【００１９】
スイングアームＳＡは、本体１ａの底面に対して略平行となるように支軸６から延びている。このスイングアームＳＡは一対で構成されており、各スイングアームＳＡは、上下方向に所定の間隔を空けてスタックされている。このようなスイングアームＳＡのそれぞれの先端には、前記したようにヘッド５が取り付けられている。そして、各スイングアームＳＡは、装着された記録ディスクカートリッジ１００に向かって揺動した際に、記録ディスクカートリッジ１００のアクセス用開口部１１１で臨む記録ディスクメディアＤＭを挟み込むことで、各ヘッド５を記録ディスクメディアＤＭの表裏にアクセスさせるようになっている。
【００２０】
アクチュエータ７は、ボイスコイルモータで構成されており、スイングアームＳＡを支軸６周りに揺動させることで、ヘッド５を記録ディスクメディアＤＭの所定の位置に位置決めするようになっている。ちなみに、アクチュエータ７は、ドライブ装置Ｄに記録ディスクカートリッジ１００が装着されていない場合に、スイングアームＳＡをランプ部８に待機させている。
【００２１】
係止部１０は、板バネ１１と、前記した当接部１３とで主に構成されている。この板バネ１１は、特許請求の範囲にいう「弾性部材」に相当する。
板バネ１１は、図２に示すように、基端部１１ａ側がケーシング１の本体１ａの前端の中央寄りに固着されて片持ち支持されている。この基端部１１ａ側は、特許請求の範囲にいう「一端側」に相当する。
この板バネ１１は、基端部１１ａからバネ溝１２ｂを介して溝部１２内に延出するとともに、溝部１２内でドライブ装置Ｄの幅方向に延びている。そして、この板バネ１１は、溝部１２側からノブ出入溝１２ａをその自由端部１１ｂ側で塞ぐとともに、基端部１１ａと自由端部１１ｂとの間で当接部１３と当接している。
【００２２】
次に、本実施形態に係るドライブ装置Ｄの動作について適宜図面を参照しながら説明する。参照する図面において、図３から図６は、ドライブ装置に記録ディスクカートリッジが挿入される際の様子を段階的に示す図、図７は、ドライブ装置に記録ディスクカートリッジが装着された際の様子を示す図、図８から図１１は、ドライブ装置からに記録ディスクカートリッジが取り出される際の様子を段階的に示す図である。
【００２３】
図３に示すように、記録ディスクカートリッジ１００がドライブ装置ＤのカートリッジスロットＤＳに挿入されると、記録ディスクカートリッジ１００のガイド溝１１２の後端に位置するシャッタノブ１２２は、ノブ出入溝１２ａ内に入り込むとともに、板バネ１１の自由端部１１ｂ側に当接する。このとき、ロータリシャッタ１２０は閉位置に配置されることで、アクセス用開口部１１１は閉じられている。
【００２４】
次いで、図４に示すように、記録ディスクカートリッジ１００がドライブ装置Ｄへさらに挿入されると、シャッタノブ１２２が板バネ１１の自由端部１１ｂを後側に向かって押圧する。その結果、板バネ１１は、その基端部１１ａを支点として後側に撓んでいくとともに、シャッタノブ１２２は、溝部１２内に入り込む。そして、シャッタノブ１２２は、板バネ１１から受ける反力によって、ガイド溝１１２内を前側に向かって円弧状の軌道を描きながら移動し始める。このとき、シャッタノブ１２２は、円弧状の軌道を描くことでドライブ装置Ｄの左方向に移動するとともに、ロータリシャッタ１２０は、シャッタノブ１２２の移動に伴って開き始める。
【００２５】
図５に示すように、記録ディスクカートリッジ１００がドライブ装置Ｄへさらに挿入されると、シャッタノブ１２２は、さらにドライブ装置Ｄの左方向に移動することで板バネ１１から外れる。その一方で、板バネ１１は、その復元力により元の位置に戻る。
【００２６】
図６に示すように、板バネ１１から外れたシャッタノブ１２２は、記録ディスクカートリッジ１００がドライブ装置Ｄへさらに挿入されることで、溝部１２内の第３壁１５ｃに突き当たる。次いで、シャッタノブ１２２は、ガイド溝１１２を前側に移動していきながら、第３壁１５ｃ上を外側（左側）へ移動していく。そして、最も外側に位置していたシャッタノブ１２２は、ガイド溝１１２をさらに前側に移動することで、第３壁１５ｃ上を逆の方向、つまり内側（右側）に移動し始める。
【００２７】
そして、図７に示すように、シャッタノブ１２２がガイド溝１１２の前端まで移動することで、ロータリシャッタ１２０（図示省略）は全開する。その結果、ドライブ装置ＤのスイングアームＳＡが記録ディスクカートリッジ１００側に揺動した際に、ヘッド５は、記録ディスクメディアＤＭにアクセス可能となる。このとき、ドライブ装置Ｄのスピンドルモータ３の回転軸４（図１参照）は、記録ディスクメディアＤＭのチャック部（図示省略）に接続されることで記録ディスクメディアＤＭを回転可能にする。
【００２８】
次に、記録ディスクカートリッジ１００がドライブ装置Ｄから引き出される際のドライブ装置Ｄの動作について説明する。
図８に示すように、ドライブ装置Ｄに装着された記録ディスクカートリッジ１００がドライブ装置Ｄから引き出される際には、第３壁１５ｃに当接していたシャッタノブ１２２（図７参照）は、当接部１３の第２壁１５ｂ上に位置する板バネ１１に突き当たる。
【００２９】
そして、図９に示すように、記録ディスクカートリッジ１００がドライブ装置Ｄからさらに引き出されると、シャッタノブ１２２は、ガイド溝１１２の後側に向かって円弧状の軌道を描くことで、板バネ１１に当接しつつドライブ装置Ｄの左側へ移動する。このとき、ロータリシャッタ１２０は、シャッタノブ１２２の移動に伴ってアクセス用開口部１１１を閉じていく。その一方で、ノブ出入溝１２ａを塞いでいる板バネ１１の自由端部１１ｂ側をシャッタノブ１２２が移動する際に、板バネ１１は、当接部１３に当接しているので前側に向かって撓むことは防止される。その結果、シャッタノブ１２２は、ドライブ装置Ｄの幅方向の最も左側へ移動した際に、突出部１４の第１壁１５ａ（図２参照）上に位置することとなる。
【００３０】
そして、図１０に示すように、記録ディスクカートリッジ１００がドライブ装置Ｄからさらに引き出されることで、第１壁１５ａ（図２参照）上に位置していたシャッタノブ１２２は、ガイド溝１１２の後端の位置、つまりドライブ装置ＤのカートリッジスロットＤＳに挿入する前の初期位置に戻る。このときロータリシャッタ１２０は、閉位置に配置されることで、アクセス用開口部１１１を全閉する。そして、シャッタノブ１２２は、板バネ１１の自由端部１１ｂ側に位置する。
【００３１】
次いで、図１１に示すように、記録ディスクカートリッジ１００がドライブ装置Ｄからさらに強い力で引き出されることで、板バネ１１が前側に向かって押圧されて当接部１３を支点に撓む。その結果、シャッタノブ１２２は、溝部１２およびノブ出入溝１２ａから抜け出るとともに、記録ディスクカートリッジ１００は、ドライブ装置ＤのカートリッジスロットＤＳから抜き出される。なお、シャッタノブ１２２から外れた板バネ１１は、その復元力により元の位置に戻る。
【００３２】
以上のように説明した本実施形態のドライブ装置Ｄによれば、次のような効果を奏する。
まず、ドライブ装置Ｄ側にシャッタノブ１２２の係止部１０を備えていることにより、記録ディスクカートリッジ１００側にロータリシャッタ１２０の付勢手段を備えることなくロータリシャッタ１２０がアクセス用開口部１１１を確実に閉じることができ、記録ディスクカートリッジ１００の部品点数の削減を図ることができる。
【００３３】
また、このようなドライブ装置Ｄによれば、板バネ１１という簡素な構成により、シャッタノブ１２２を係止して回動させることができ、ロータリシャッタ１２０がアクセス用開口部１１１を確実に閉じることができる。
【００３４】
また、このようなドライブ装置Ｄによれば、板バネ１１に当接部１３が当接していることにより、シャッタノブ１２２が移動するときの荷重によって板バネ１１がシャッタノブ１２２の引き出し方向に撓むことを防止することができ、板バネ１１をシャッタノブ１２２のロータリシャッタ１２０の閉位置に確実に移動させることができる。そして、ロータリシャッタ１２０がアクセス用開口部１１１を閉じた状態にある自由端部１１ｂ付近で記録ディスクカートリッジ１００をさらに強く引き出したときに初めて板バネ１１が当接部１３を支点として撓んで、シャッタノブ１２２が溝部１２およびノブ出入溝１２ａから抜け出るようになっているので、ドライブ装置Ｄ内でロータリシャッタ１２０がアクセス用開口部１１１を確実に閉じることができる。
【００３５】
以上、本発明の一実施形態について説明したが、本発明は、適宜変更して実施することが可能であり、前記した実施形態に限定されないことは当然である。
例えば、記録ディスクメディアＤＭは、磁気ディスクメディアに限らず、光磁気ディスクメディア、相変化ディスクメディアなどの光ディスクメディアでもよいし、フレキシブルディスクメディアに限らず、ＤＶＤ−ＲＡＭのような剛性を有したディスクメディアであってもよい。
また、板バネ１１の自由端部１１ｂは、突出部１４の第１壁１５ａに渡しかけられるようになっていても良い。これにより、自由端部１１ｂと第１壁１５ａとがほぼ面一となり、記録ディスクカートリッジ１００の引き出し時において、シャッタノブ１２２がよりスムーズにガイド溝１１２のロータリシャッタ１２０の閉位置側へ回動していくことができる。
なお、本実施形態においては、シャッタノブ１２２の動きを阻害しない範囲で板バネ１１が撓んでも良い。
また、板バネ１１のバネ定数を高めて当接部１３を省略してもよい。これにより、より簡素な構成で確実にロータリシャッタ１２０がアクセス用開口部１１１を閉じることができる。
また、第３壁１５ｃは屈曲しているが、平坦であってもよい。これにより、シャッタノブ１２２に与えられる反力（抵抗）を少なくすることができ、よりスムーズにロータリシャッタ１２０がアクセス用開口部１１１を開くことができる。    
【図面の簡単な説明】
【００３６】
【図１】本実施形態に係るドライブ装置を上方から見下ろした斜視図であり、その係止部近傍を部分的に切り欠いた様子を示す図である。
【図２】ドライブ装置の係止部の構成説明図であり、ドライブ装置から蓋体を取り外した際の係止部の様子を上方から見た図である。
【図３】ドライブ装置に記録ディスクカートリッジが挿入される際の様子を段階的に示す図である。
【図４】ドライブ装置に記録ディスクカートリッジが挿入される際の様子を段階的に示す図である。
【図５】ドライブ装置に記録ディスクカートリッジが挿入される際の様子を段階的に示す図である。
【図６】ドライブ装置に記録ディスクカートリッジが挿入される際の様子を段階的に示す図である。
【図７】ドライブ装置に記録ディスクカートリッジが装着された際の様子を示す図である。
【図８】ドライブ装置から記録ディスクカートリッジが取り出される際の様子を段階的に示す図である。
【図９】ドライブ装置から記録ディスクカートリッジが取り出される際の様子を段階的に示す図である。
【図１０】ドライブ装置から記録ディスクカートリッジが取り出される際の様子を段階的に示す図である。
【図１１】ドライブ装置から記録ディスクカートリッジが取り出される際の様子を段階的に示す図である。
【図１２】従来の記録ディスクカートリッジおよびドライブ装置をその下方から見上げた斜視図である。
【符号の説明】
【００３７】
１      ケーシング
１ａ    本体
１ｂ    蓋体
１０    係止部
１１    板バネ（弾性部材）
１３    当接部
１００  記録ディスクカートリッジ
１１２  ガイド溝
１２０  ロータリシャッタ
１２２  シャッタノブ
Ｄ      ドライブ装置
ＤＳ    カートリッジスロット
【図１】
2007164857.tif 000003
【図２】
2007164857.tif 000004
【図３】
2007164857.tif 000005
【図４】
2007164857.tif 000006
【図５】
2007164857.tif 000007
【図６】
2007164857.tif 000008
【図７】
2007164857.tif 000009
【図８】
2007164857.tif 000010
【図９】
2007164857.tif 000011
【図１０】
2007164857.tif 000012
【図１１】
2007164857.tif 000013
【図１２】
2007164857.tif 000014